(57)【特許請求の範囲】
【請求項１】
樹脂ケースと金属ケースとから構成され、第１の基板を収納する第１の筐体、
第２の基板を収納する第２の筐体、
前記第１の基板および前記第２の基板のいずれかを地導体とするアンテナ、
前記第１の基板と前記第２の基板を電気的に接続するフレキシブル絶縁配線、および
前記第１の筐体と前記第２の筐体とを折畳み自在に接続するヒンジ部を備え、
前記ヒンジ部は、前記金属ケースが延長され、前記フレキシブル絶縁配線を覆う半円部を含み、
該半円部に切欠きが形成されていることを特徴とする、携帯端末装置。
【請求項２】
樹脂ケースと金属ケースとから構成され、第１の基板を収納する第１の筐体、
第２の基板を収納する第２の筐体、
前記第１の基板および前記第２の基板のいずれかを地導体とするアンテナ、
前記第１の基板と前記第２の基板を電気的に接続するフレキシブル絶縁配線、および
前記第１の筐体と前記第２の筐体とを折畳み自在に接続するヒンジ部を備え、
前記ヒンジ部は、前記樹脂ケースが延長され、前記ヒンジ部中央の前記フレキシブル絶縁配線を覆う半円部と、前記金属ケースが延長された前記ヒンジ部両端の半円部を含むことを特徴とする、携帯端末装置。
【請求項３】
樹脂ケースと金属ケースとから構成され、第１の基板を収納する第１の筐体、
第２の基板を収納する第２の筐体、
前記第１の基板および前記第２の基板のいずれかを地導体とするアンテナ、
前記第１の基板と前記第２の基板を電気的に接続するフレキシブル絶縁配線、および
前記第１の筐体と前記第２の筐体とを折畳み自在に接続するヒンジ部を備え、
前記ヒンジ部は、前記樹脂ケースが延長され、前記ヒンジ部一端の前記フレキシブル絶縁配線を覆う半円部と、前記金属ケースが延長された前記ヒンジ部他端の半円部を含むことを特徴とする、携帯端末装置。
【発明の詳細な説明】
【０００１】
【発明の属する技術分野】
この発明は携帯型端末装置に関し、特に２つの筐体がヒンジ部で折り畳自在に形成されていて、各筐体内の基板がフレキシブル基板で接続されている携帯端末装置に関する。
【０００２】
【従来の技術】
図４は従来の折り畳式の携帯電話機の外観図であり、図５はフレキシブル基板を示す図である。
【０００３】
たとえば図４において、携帯電話機１は、第１の筐体２と、第２の筐体３とがヒンジ部４を中心にして折り畳み自在に構成されている。第１の筐体２の折り畳面には受話器６と液晶表示部７とが設けられている。第２の筐体３にはダイヤルボタン８と、送話器９とが配置されており、第１の筐体２と第２の筐体３にそれぞれ収納されている基板（図示せず）は、ヒンジ部４で絶縁配線としてのフレキシブル基板１０によって接続されている。
【０００４】
【発明が解決しようとする課題】
ところで、図４に示した第１の筐体２と第２の筐体３は、液晶表示部７の保護およびヒンジ部４の強度確保のため、筐体ケースにＭｇ合金などの金属が使用される。しかし、ヒンジ部４にはフレキシブル基板１０が配置されており、この部分はアンテナ地導体として動作している基板に高周波的に接続し、もしくは結合しているためアンテナ放射に関わる高周波電流が集中して流れている。このため、フレキシブル基板１０からも電磁波が放射されるが、ヒンジ部４として金属製のヒンジが用いられると、フレキシブル基板４からの放射が抑制され、アンテナ効率が低下するという問題がある。
【０００５】
それゆえに、この発明の主たる目的は、ヒンジ部での絶縁配線による放射効率を高め、安定した利得を確保し得る携帯端末装置を提供することである。
【０００６】
【課題を解決するための手段】
この発明は、樹脂ケースと金属ケースとから構成され、第１の基板を収納する第１の筐体と、第２の基板を収納する第２の筐体と、第１の基板および第２の基板のいずれかを地導体とするアンテナと、第１の基板と第２の基板を電気的に接続するフレキシブル絶縁配線と、第１の筐体と第２の筐体とを折畳み自在に接続するヒンジ部を備え、ヒンジ部は金属ケースが延長されてフレキシブル絶縁配線を覆う半円部を含み、半円部に切欠きが形成されていることを特徴とする。
【０００７】
また、他の発明は、樹脂ケースと金属ケースとから構成され、第１の基板を収納する第１の筐体と、第２の基板を収納する第２の筐体と、第１の基板および第２の基板のいずれかを地導体とするアンテナと、第１の基板と第２の基板を電気的に接続するフレキシブル絶縁配線と、第１の筐体と第２の筐体とを折畳み自在に接続するヒンジ部を備え、ヒンジ部は樹脂ケースが延長されてヒンジ部中央のフレキシブル絶縁配線を覆う半円部と、金属ケースが延長されたヒンジ部両端の半円部を含むことを特徴とする。
【０００８】
さらに、他の発明は樹脂ケースと金属ケースとから構成され、第１の基板を収納する第１の筐体と、第２の基板を収納する第２の筐体と、記第１の基板および第２の基板のいずれかを地導体とするアンテナと、第１の基板と第２の基板を電気的に接続するフレキシブル絶縁配線と、第１の筐体と第２の筐体とを折畳み自在に接続するヒンジ部を備え、ヒンジ部は樹脂ケースが延長されてヒンジ部一端のフレキシブル絶縁配線を覆う半円部と、金属ケースが延長されたヒンジ部他端の半円部を含むことを特徴とする。
【０００９】
【発明の実施の形態】
図１はこの発明の一実施形態の携帯端末装置の要部外観斜視図である。図４に示した第１の筐体２と第２の筐体３は、ともに樹脂ケースと金属ケースとを重ね合せた形態で構成されている。図１は第１の筐体のヒンジ部分を示している。
【００１０】
図１において第１の筐体２は樹脂ケース２１と、金属ケース２２とからなっており、樹脂ケース２１の一端（折畳み側端部）側にはヒンジ部４を構成するヒンジ半円部４１１，４１２，４１３，４１４および４１５が形成されており、そのうちヒンジ半円部４１２は、フレキシブル基板１０をその内側に巻込むために、その幅が他のヒンジ半円部４１１，４１４および４１５に比べて広く形成されている。
【００１１】
金属ケース２２の一端側にもヒンジ半円部４０１および４０３が形成されており、ヒンジ半円部４０１は樹脂ケース２１の半円部４１２に対応しており、その幅が広く形成されているが、フレキシブル基板１０からの放射特性を改善するために、ヒンジ半円部４０１に切欠き部４０２が形成されている。この切欠き部４０２に嵌合するように樹脂ケース２１のヒンジ半円部４１２には嵌合部４１３が形成されている。
【００１２】
このように形成された金属ケース２２と、樹脂ケース２１とを重ね合せると、樹脂ケース２１のヒンジ半円部４１２の嵌合部４１３が金属ケース２２のヒンジ半円部４０１の切欠き部４０２に嵌合する。このヒンジ半円部４１２と４０１とからなるヒンジ部内にはフレキシブル基板が巻込まれる。
【００１３】
また、金属ケース２２のヒンジ半円部４０３は樹脂ケース２１の半円部４１４と４１５との間に位置し、図示しない第２の筐体に形成されているヒンジ半円部とともにヒンジを構成し、このヒンジに図示しないピンが挿入されて、第１の筐体と第２の筐体とが折畳み自在に構成される。
【００１４】
したがって、この実施形態によれば、金属ケース２２のヒンジ半円部４０１に切欠き部４０２を形成し、この切欠き部４０２に樹脂ケース２１のヒンジ半円部４１２の嵌合部４１３を嵌合させることにより、フレキシブル基板からの高周波電流による電磁波の輻射が金属ケース２２のヒンジ半円部４０１部分で遮られることがなく、放射効率を高めることができる。
【００１５】
図２はこの発明の他の実施形態を示す外観斜視図である。この実施形態は、第１の筐体１の樹脂製ケース２１の折畳み側端部の中央に、フレキシブル基板１０を巻込むための比較的幅の広いヒンジ半円部４２１を形成し、金属ケース２２には折畳み側端部の両側にヒンジ半円部４３１，４３２を形成したものである。
【００１６】
また、図示しない第２の筐体の樹脂ケースには樹脂ケース２１のヒンジ半円部４２１に対応するヒンジ半円部が形成されており、金属ケースにもヒンジ半円部４３１，４３２に対応するヒンジ半円部が形成されている。そして各樹脂ケースと金属ケースとを重ね合せることにより第１および第２の筐体が構成される。そして、樹脂ケース２１のヒンジ半円部４２１内にフレキシブル基板１０が巻込まれる。
【００１７】
図３はこの発明のさらに他の実施形態を示す外観斜視図である。この実施形態は、第１の筐体を構成する樹脂ケース２１の折畳み側端部の一端側に比較的広い幅のヒンジ半円部４４１を形成し、金属ケース２２の折畳み側端部の他方側に比較的広い幅のヒンジ半円部４５２を形成したものである。
【００１８】
他方側の第２の筐体を構成する樹脂ケースと金属ケースにも同様のヒンジ半円部が形成される。そして、ヒンジ半円部４４１内にフレキシブル基板が巻込まれる。したがって、この実施形態においても、樹脂ケース２１のヒンジ半円部４４１内にフレキシブル基板１０を巻込むことによって、フレキシブル基板からの高周波電流による電磁波輻射が金属ケース２２のヒンジ半円部で遮られることがなく、放射効率を高めることができる。
【００１９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００２０】
【発明の効果】
以上のように、この発明によれば、それぞれが樹脂ケースと金属ケースとを重ね合せて構成される第１の筐体と第２の筐体とをヒンジ部によって折り畳自在に構成し、それぞれの筐体に収納されている基板をヒンジ部でフレキシブルな絶縁配線で接続された携帯端末装置において、ヒンジ部は第１および第２の筐体のいずれか一方の金属性ケース折畳み側端部から突出してフレキシブルな絶縁配線を覆う半円部を含み、該半円部には絶縁配線からの放射をよくするための切欠きを形成したことにより、絶縁配線からの高周波電流による電磁波の輻射が金属製ケースによって遮られることがないので、放射効率を高めることができる。
【００２１】
また、ヒンジ部は第１および第２の筐体のいずれか一方の樹脂ケース端部中央側から突出してフレキシブルな絶縁配線を覆うように形成された半円部と、対応の金属ケース端部両側から突出して形成された半円部とを含むか、あるいはヒンジ部は第１および第２の筐体のいずれか一方の金属ケース端部の一端側から突出して形成された半円部と、対応の樹脂ケース端部他端側から突出してフレキシブルな絶縁配線を覆うように形成された半円部を含むことにより、絶縁配線からの高周波電流による電磁波の輻射が金属ケースによって遮られることがないので、放射効率を高めることができる。
【図面の簡単な説明】
【図１】  この発明の一実施形態の外観斜視図である。
【図２】  この発明の他の実施形態を示す要部外観斜視図である。
【図３】  この発明のさらに他の実施形態を示す図である。
【図４】  従来の折り畳式の携帯電話機の外観図である。
【図５】  フレキシブル基板を示す図である。
【符号の説明】
１０  フレキシブル基板、２１  樹脂ケース、２２  金属ケース、４０１〜４０３，４１１〜４１５，４２１，４３１，４３２，４４１，４５２  ヒンジ半円部。
【図１】
0003881855.tif 000002
【図２】
0003881855.tif 000003
【図３】
0003881855.tif 000004
【図４】
0003881855.tif 000005
【図５】
0003881855.tif 000006